(57)【要約】【課題】手が不自由、身体機能の衰え、発育途上等のために食事用掬取具が上手く使えない人にとって食事用掬取具で食事用容器１〜５中の食物を掬い取るための負荷が軽減され、心地よく食事でき、持ち運んだり洗浄したりするときに手で保持し易い食事用容器１〜５を提供する。【解決手段】食物を充填できる空間を形成する底面壁１２と側面壁１１を備える食事用容器１〜５であって、前記底面壁１２の最深部から前記空間の深さｈの２０％以上上方の前記空間の部分を形成する側面壁１１（上方側面壁１１１）の内周に沿って、かつ、前記上方側面壁上端１１２部よりも下方に、前記上方側面壁１１１から前記空間側に張り出したリム１４を備える食事用容器１〜５。【選択図】図１
2018139809.tif 000002
【特許請求の範囲】
【請求項１】
食物を充填できる空間を形成する底面壁と側面壁を備える食事用容器であって、
前記底面壁の最深部から前記空間の深さの２０％以上上方の前記空間の部分を形成する側面壁（上方側面壁）の内周に沿って、かつ、前記上方側面壁上端部よりも下方に、前記上方側面壁から前記空間側に張り出したリムを備える食事用容器。
【請求項２】
前記リムの前記底面壁側に向く前記リムの下面と前記下面の下方の側面壁のなす角度が９０°未満である請求項１記載の食事用容器。
【請求項３】
前記空間に充填された前記食物を前記空間から掬い取るための食事用掬取具と共に使用される請求項１又は２記載の食事用容器。
【請求項４】
少なくとも、前記上方側面壁が陶器製である請求項１〜３のいずれか１項記載の食事用容器。
【発明の詳細な説明】
【技術分野】
【０００１】
本発明は、食事用容器に関する。
【背景技術】
【０００２】
皿、ボール、どんぶり等の食事用容器に充填された食物は、通常、箸又はナイフ、フォーク若しくはスプーン等のカトラリーなどの、食物を食事用容器から掬い取るための食器（以下「食事用掬取具」ともいう）と共に使用される。
【０００３】
一方、手が不自由である、高齢により身体機能が低下した、発育途上の幼児である等の種々事情により食事用掬取具を上手く使えない多くの人がおり、さらに長期に渡る景気の低迷と社会的なサポートシステムの不備により、子供に対する食事の世話等の働く女性にとっての育児負担の増加が進行している。
【０００４】
このような食事用掬取具を上手く使えない多くの人を考慮して、食事用容器に対して充填された食物を容易に救いとるための工夫が種々提案されている（例えば、特許文献１〜３）。
【０００５】
特許文献１には、皿の内壁面上にスプーンの側面の形状に適合するまが玉状の突起部が設けられており、皿中の食物が最後の一口、二口になった場合に、スプーンをまが玉の皿の底面壁１２側に向く面に沿って当該食物を掬い取ることができるようにしている皿の考案が開示されている。
【０００６】
特許文献２には、内側底面に大きなアールでつながる内側面下部と、内側面下部に垂直に近い角度でつながる内側面上部とを有し、周縁には、内側面上部に小さなアールでつながるリム部を有し、高齢者でも皿中の食物をスプーン等で掬い取り易くした陶磁器製皿の考案が開示されている。
【０００７】
特許文献３には、茶碗等の縁に一体で形成された、スプーンでおかずなどを掬い取り易くするためのストッパーを有する介護用食器の考案が開示されている。
【先行技術文献】
【特許文献】
【０００８】
【特許文献１】実開１−１７０１７２号公報
【特許文献２】実用新案登録第３０６８５９４号公報
【特許文献３】実用新案登録第３１７６０９９号公報
【発明の概要】
【発明が解決しようとする課題】
【０００９】
しかし、特許文献１〜３に開示された考案には以下のような課題がある。
【００１０】
特許文献１に開示された考案は、豆類等の転がり易い食べ物をスプーンを使用して食べるときに、最後の一口、二口になった場合にスプーンに載せやすくすることを目的としているため、皿の底面に近い内壁面上にまが玉状の突起部を設ける必要があり（特許文献１の１頁１１〜１４行目、第２図）、食物が皿中の内壁面上端部に近いところまで盛られていると、このまが玉状の突起部は盛られた上部の食物のスプーンによる掬い取り易さに寄与しない。
【００１１】
特許文献２に開示された考案は、内側面上部が内側面下部に垂直に近い角度でつながるように設けられているため、食物をスプーンにより掬い取り切れないことが想定されており、掬い取り切れなかった食物がたれこぼれないように皿の口縁にリムが設けられている（特許文献２段落００１３）。しかし、これでは掬い取り切れなかったリム上に残る食物が目に映る等して、食事摂取者に心地よいものと言えない。
【００１２】
特許文献３に開示された考案は、ストッパーが茶碗等の縁に一体で形成されているため、ストッパー設置部分の縁が茶碗等の内側水平に張り出してしまう。茶碗等を持ち運んだり洗浄したりするときは、茶碗等の縁に親指を引掛けて外側面に残りの指を添えて茶碗を保持するが、茶碗等の縁に内側水平な張り出しがあると親指を引掛けることができず、茶碗等の持ち運びや洗浄に不便をもたらすことになる。
【００１３】
本発明は、手が不自由、身体機能の衰え、発育途上等のために食事用掬取具が上手く使えない人にとって食事用掬取具で食事用容器中の食物を掬い取るための負荷が軽減され、心地よく食事でき、持ち運んだり洗浄したりするときに手で保持し易い食事用容器を提供することを課題とする。
【課題を解決するための手段】
【００１４】
本発明は、
食物を充填できる空間を形成する底面壁と側面壁を備える食事用容器であって、
前記底面壁の最深部から前記空間の深さの２０％以上上方の前記空間の部分を形成する側面壁（上方側面壁）の内周に沿って、かつ、前記上方側面壁上端部よりも下方に、前記上方側面壁から前記空間側に張り出したリムを備える食事用容器である。
【発明の効果】
【００１５】
本発明によれば、手が不自由、身体機能の衰え、発育途上等のために食事用掬取具が上手く使えない人にとって食事用掬取具で食事用容器中の食物を掬い取るための負荷が軽減され、心地よく食事でき、持ち運んだり洗浄したりするときに手で保持し易い食事用容器を提供することができる。
【図面の簡単な説明】
【００１６】
【図１】本発明の実施態様例１の（ａ）平面図と（ｂ）Ａ−Ａ断面図である。
【図２】本発明の実施態様例２の（ａ）平面図と（ｂ）Ｂ−Ｂ断面図である。
【図３】本発明の実施態様例３の（ａ）平面図と（ｂ）Ｃ−Ｃ断面図である。
【図４】本発明の実施例１の斜視画像である。
【図５】本発明の実施例２の（ａ）斜視画像と（ｂ）識別標識部分を拡大した上面画像である。
【発明を実施するための形態】
【００１７】
以下の説明は、本発明の各部位を示す用語直後の数字は図面の数字に対応するが、本発明は図面の数字の対応する図面の形態に限定されない。
【００１８】
（底面壁１２と側面壁１１）
本発明は、食物を充填できる空間（以下、食物充填空間）１３を形成する底面壁１２と側面壁１１を備える食事用容器１〜５である。
【００１９】
側面壁１１と底面壁１２は食事用容器１〜５の内壁面（以下、内壁面）を形成する。
【００２０】
側面壁１１の上端１１２を形成する稜線１１３は閉じた曲線を形成し、例えば、円形；楕円形；矩形等の三角形以上の多角形；星型等であってよいが、食物の充填容易性と掬取容易性の観点から、円形、楕円形又は矩形（好ましくは角が丸みを帯びた矩形）が好ましく、円形又は楕円形がより好ましく、円形が更に好ましい。
【００２１】
側面壁１１は、好ましくは、食事用容器１〜５を水平なプレート面Ｓｐ（以下、プレート面）Ｓｐに静置したとき、後述するリム１４以外の部分の側面壁１１の接平面と水平面とがなす角度が９０°以上であり、当該部分が鉛直又は食事用容器１〜５の上方に面して傾斜しながら底面壁１２に接続する。
【００２２】
底面壁１２は、好ましくはその最深部の接平面が少なくとも水平であり、より好ましくは最深部の近傍が水平面を形成して側面壁１１と接続している。
【００２３】
なお、食事用容器１〜５の最深部とは、例えば、食事用容器１〜５をプレート面Ｓｐに静置したときに、側面壁１１の上端１１２を形成する稜線１１３を切り取る水平面であってプレート面Ｓｐに最も近い水平面Ｓと、内壁面とで切り取られる鉛直線分の長さが最大となる当該鉛直線分（以下、食物充填空間１３又は食事用容器１〜５の深さ）ｈと食事用容器１〜５内壁面との交点と定義することができ、ｈを食事用容器１〜５の深さと定義することができる。
【００２４】
例えば、食事用容器１〜５をプレート面Ｓｐ上に静置したとき、
ボールのような食事用容器１〜５は、底面壁１２が最深部の点又はその近傍の微小な水平部分で形成され、側面壁１１が凹上の半球面壁で当該部分の円換算直径が食事用容器１〜５の深さｈよりも相対的に小さく、
平型の浅い皿のような食事用容器１〜５は、底面壁１２が広いほぼ水平な面の部分で当該部分の円換算直径が食事用容器１〜５の深さｈよりも相対的に大きく、側面壁１１の接平面と水平面とがなす角度が９０°以上である。
【００２５】
なお、円換算直径とは、当該部分の面積を有する円の直径である。
【００２６】
側面壁１１と底面壁１２は、食事に関わる作業における掬取容易性、強度、食感及び美観の観点から、少なくとも表面近傍が、好ましくは側面壁１１と底面壁１２を形成する食事用容器１〜５の厚み全体に渡って、陶器又はガラスなどのセラミックス、金属又は樹脂で形成されることが好ましく、陶器で形成されることがより好ましい。
【００２７】
（リム１４）
本発明は、底面壁１２から食事用容器１〜５の深さｈの２０％以上（掬取容易性の観点から、好ましくは３０以上、より好ましくは５０％以上、更に好ましくは７０％以上、更に好ましくは９０％以上）上方の食物充填空間１３の部分を形成する側面壁１１（以下、上方側面壁１１１）の内周に沿って、かつ、前記上方側面壁上端１１２部よりも下方に、前記上方側面壁１１１から食物充填空間１３側に張り出したリム１４を備える食事用容器１〜５である。
【００２８】
リム１４は、側面壁１１に接続する側面壁側端部１４１と側面壁側端部１４１に対向する食物充填空間側端部１４２とを有し、リム上面の側面壁側端部１４１上の一点と、当該一点を通る直線のリム上面の食物充填空間側端部の端部１４３との交点とで形成される最小の長さの線分の当該長さが、当該一点におけるリム１４の張り出し長さ（以下、張出長）ｘとなる。
【００２９】
側面壁側端部１４１及び食物充填空間側端部１４２は、掬取容易性の観点から、好ましくは、図１〜３のように上方側面壁１１１の内周に沿ってほぼ水平に形成され、図４〜５のように食物充填空間側端部の端部１４３は上方側面壁上端１１２部よりも下方に位置する（言い換えると、リム１４は上方側面壁上端１１２部よりも下方に食物充填空間１３側に張り出している）。
【００３０】
本発明は、リム１４は上方側面壁上端１１２部よりも下方に食物充填空間１３側に張り出していることにより、上方側面壁上端１１２の肉厚がリムの張出長ｘの分だけ厚くなることがなく、上方側面壁上端１１２を親指で引掛けることができるため、持ち運んだり洗浄したりするときに手で保持し易い食事用容器となる。
【００３１】
側面壁側端部１４１は、上方側面壁上端１１２部よりも下方に位置してもよいが、掬取容易性の観点から、図４〜５のように上方側面壁上端１１２部で上方側面壁１１１と接続していていることが好ましい。
【００３２】
食物充填空間側端部１４２は、上方側面壁上端１１２部よりも下方であれば、最深部からの高さが側面壁側端部１４１と同じでもよい（言い換えると、上方側面壁上端１１２部以外はリム１４は水平に張り出していてもよい）が、掬取容易性の観点から、図４及び５のように側面壁側端部１４１よりも下方に位置する（言い換えると、リム１４は側面壁側端部１４１から下方に食物充填空間１３側に張り出している）ことが好ましい。
【００３３】
リム１４の最大張出長は、食物の充填容易性と掬取容易性の観点から、好ましくは１〜５０ｍｍ、より好ましくは２〜４０ｍｍ、更に好ましくは５〜３０ｍｍ、更に好ましくは１０〜２０ｍｍである。
【００３４】
リム１４の張出長ｘは、図１又は４のように側面壁側端部１４１に沿って一定であっても、図２、３又は５のように側面壁側端部１４１に沿って変化してもよいが、食物の充填容易性と掬取容易性の観点から、図２、３又は５のように側面壁側端部１４１の中央近傍が最大張出長で、側面壁側端部１４１の両端に向かって小さくなっていることが好ましく、側面壁側端部１４１の両端で０ｍｍであることがより好ましい。
【００３５】
リム１４の側面壁側端部１４１の長さは、食物の充填容易性と掬取容易性の観点から、側面壁側端部１４１の最深部からの高さが最小の点を通過する水平面と上方側面壁１１１の交線の長さの、好ましくは１〜１００％、より好ましくは５〜８０％、更に好ましくは１０〜７０％、更に好ましくは２０〜６０％、更に好ましくは３０〜６０％である。
【００３６】
リム１４の張出部の厚み、言い換えると、側面壁側端部１４１と食物充填空間側端部１４２の間にあるリム１４の張出部の上面１４４と下面１４５の距離（上面１４４上の一点と、当該一点を通る直線の下面１４５との交点とで形成される最小の長さの線分の当該長さ）は、食物の充填容易性と掬取容易性の観点から、最大で、好ましくは１〜１０ｍｍ、より好ましくは２〜８ｍｍ、更に好ましくは３〜７ｍｍである。
【００３７】
例えば、食事用容器１〜５に充填した食物を食する者は、スプーンで食物を底面壁１２から側壁面１１に沿って掬い上げ、リム１４の張出部の下面１４５から上方側壁面１１１にかけて形成される閉空間１４６に行き止まるまで移動し、そこでスプーンを例えば水平になるように操作して食物をスプーン上に安定に盛り、そのまま食物を盛ったスプーンを閉空間１４６から引き抜いて、自身の口にスプーンを移動して食物を摂取する。
【００３８】
本発明は、スプーンに盛られた食物が閉空間１４６からこぼれ難いため、食物のリム１４の張出部の上面１４４に食物が置き残り難く、食物の残渣をできるだけ目に触れずに心地のよい食事をすることができる。
【００３９】
リム１４の張出部の下面１４５から上方側壁面１１１にかけての閉空間１４６は、閉空間１４６におけるスプーンの操作の円滑性の観点から、滑らかな凹曲面で形成されていることが好ましい。
【００４０】
リム１４の張出部は、側面壁側端部１４１から食物充填空間側端部１４２に向けて同じ厚みであってもよいが、食物の充填容易性、掬取容易性及びリム１４の製造容易性の観点から、図４又は５のように側面壁側端部１４１が最大厚みで、食物充填空間側端部１４２に向けて厚みが減少していることが好ましく、テーバ―状に変化していることがより好ましい。
【００４１】
リム１４の張出部の上面１４４には、本発明の食事用容器１〜５を使用して食するときに、使用者がリム１４の位置を認識し易いという観点から、識別標識１５を付しておくことが好ましい。
【００４２】
識別標識１５は、丸、四角、矢印等が目立つように着色された記号であってもよいし、デザイン化された色彩模様であってもよいが、心地よく食事をするための美観の観点からデザイン化された色彩模様であることが好ましい。
【００４３】
デザイン化された色彩模様としては、例えば、富士山等の世界各地の自然景観、世界遺産等の世界各地の建造物、美しい又は可愛らしい動植物、食欲をそそる果物等の色彩豊かな食物、抽象的美観の漂う天体等の宇宙景観などの写真、模写、イラスト等の二次元デザイン化された色彩模様、又は、これらを立体的に成形した三次元デザイン化された色彩模様が好ましい。
【００４４】
リム１４の材質は、食事に関わる作業における掬取容易性、強度、食感及び美観の観点から、少なくとも表面近傍が、好ましくはリム１４の内部全体に渡って、陶器又はガラスなどのセラミックス、金属又は樹脂で形成されることが好ましく、陶器で形成されることがより好ましく、食事用容器１〜５の側面壁１１と同じ材質あることが好ましい。
【００４５】
リム１４の上面１４４に付される識別標識１５は、リム１４と同じ材質でもよいが、美観と食感の観点から陶器又はガラスなどのセラミックスが好ましく、陶器であることがより好ましく、型を使用しない手作りの陶器であることが更に好ましい。
【００４６】
（食事用掬取具）
本発明の食事用容器１〜５と共に使用される食事用掬取具としては、本発明の掬取性をより有効に活用できるという観点から、箸又はナイフ、フォーク若しくはスプーン等のカトラリーが好ましく、カトラリーがより好ましく、スプーンが更に好ましい。
【００４７】
（本発明の技術的意義）
本発明の食事用容器１〜５は、上方側面壁１１１の内周に沿って、かつ、前記上方側面壁上端１１２部よりも下方に、前記上方側面壁１１１から食物充填空間１３側に張り出したリム１４を備えることによって、
リム１４が埋没するまで食物充填空間１３に粒状物、粘性粒状物、液物等の箸やカトラリーだけでは掬い取り難い食物が充填されていても、例えばスプーンをリム１４の下部まで上方側面壁１１１に沿わせることで、リム１４の下部で食物がスプーン先端の食物支持部に保持されるため、スプーンの使用者が食物をスプーン先端の食物支持部に容易に掬い取ることができる。
【００４８】
本発明のリム１４の形態的及び機能的特徴が、掬取性に加えて、上述したような食事の心地よさと食事用容器の持ち運び及び洗浄し易さの効果に結び付くことになる。
【００４９】
（本発明の製造方法）
本発明は、側面壁１１と底面壁１２とで構成されるリム１４なし食事用容器１〜５とリム１４とを別箇に製造して、リム１４なし食事用容器１〜５にリム１４を取り付けて組立成形してもよいし、側面壁１１、底面壁１２及びリム１４を一体成形してもよい。
【００５０】
陶器で組立成形する場合は、型を使用しないろくろによる一品ずつの成形でも、型を使用する大量生産による成形でもできるが、美観と食感の観点から、型を使用しないろくろによる一品ずつの成形が好ましい。
【００５１】
（１）型を使用しない組立成形の態様例
粘土のような焼結性材料をして、ろくろのような回転機器で成形する態様である。例として粘土とろくろを使用した場合について説明する。
【００５２】
（１−１）ろくろの回転台上の中央部に粘土を乗せて押圧して扁平にしつつ回転台にしっかりと固定する。ろくろを回転しながら、以下の作業を行う。
【００５３】
（１−２）回転台上に扁平に固定した粘土を、水分を十分に含ませて成形できる程度に柔らかくして、回転台の外側から中心部の粘土を押し込みながら、粘土を丸くし周囲を斜め上方に引き上げ、所定の深さの容器形態１にする。
【００５４】
（１−３）前記椀形態の上縁部内側を、木ごてを使用し滑らかにしながら、食事用容器の所定の深さを確保できる程度まで外側に倒していき容器形態２にする。
【００５５】
（１−４）容器形態１を維持しながら、なめし皮を用いて、上縁部を食事用容器の上方側面壁の上端近傍を形成するように切り取り整える。
【００５６】
（１−５）容器形態１の上縁部内側を、所定の食事用容器の深さを確保できる程度までさらに外側に倒していき食事用容器の所定の深さを有する食事用容器の底面壁と側面壁に相当する形態を有する容器形態２にする。
【００５７】
（１−６）容器形態２を、その後の加工で変形しない程度に乾燥させた後、容器形態２を回転台上でひっくり返して、高台及び容器形態２の表面を研磨、掘削等して食事用容器の外観に相当する形態を有するように仕上げて容器形態３とする。
【００５８】
（１−７）容器形態３の食事用容器の上方側面壁に相当する部分に、粘土を食事用容器のリムに相当する板状形態になるように固定して容器形態４として全体を乾燥させる。
この場合、板状形態の粘土上にさらにデザインした識別標識に相当する形態になるように粘土を貼り付け、立体的に盛り付けておいてもよい。
【００５９】
（１−８）容器形態４を好ましくは５００〜９００℃、より好ましくは６００〜８００℃で好ましくは３〜２４時間、より好ましくは５〜２０時間、更に好ましくは８〜１２時間の仮焼（素焼き）をした後、さらに、
釉薬を塗布して好ましくは１０００〜２０００℃で３〜３０時間、より好ましくは１１００〜１７００℃で５〜１５時間、更に好ましくは、１１００〜１３００℃で７〜１２時間で７〜１２時間の焼成を行った後、
室温に静置して、少なくとも１００℃以下になるまで、好ましくは４時間以上、より好ましくは７時間以上、更に好ましくは１０時間以上の徐冷をして食事用容器を得る。
【００６０】
（２）一体成形の態様例
本発明の食事用容器を、例えば樹脂で製造する場合、食事用容器の底面壁に垂直の方向に断面を有する半割体が製造できるような射出成形型枠を用いて左右の半割体を製造して、溶融又は接着により左右の半割体を結合して得ることができる。
【実施例】
【００６１】
（実施態様例１）
図１に、実施態様例１として、円形の皿状の食事用容器１を示した。
【００６２】
食事用容器１では、リム１４は、側面壁側端部１４１が側面壁１１の食事用容器１の最深部からほぼ同じ高さに沿って、食物充填空間１３側にほぼ同一の張出長ｘで水平に張り出し、食物充填空間側端部の稜線１４３はほぼ円形である。
【００６３】
リム１４の張出部の下面１４５から上方側壁面１１１にかけて形成される閉空間１４６は、滑らかな凹曲面で形成されており、Ａ−Ａ断面図ではＵ字型に形成されている。実施態様例２及び３並びに実施例１及び２も同様で、Ｂ−Ｂ断面図及びＣ−Ｃ断面図の閉空間１４６もＵ字型に形成されている。
【００６４】
（実施態様例２）
図２に、実施態様例２として、円形の皿状の食事用容器２を示した。
【００６５】
食事用容器２では、リム１４は、側面壁側端部１４１が側面壁１１の食事用容器２の深さのほぼ８０％の高さに沿って、同じ高さの側面壁の半周よりも少し長い部分に、食物充填空間１３側にほぼ水平に張り出しているが、張出長ｘは、側壁面に沿った側面壁側端部１４１のほぼ中央部で最大となり、側面壁側端部１４１の両端に向かって減少し、側面壁側端部１４１の両端で０となる。
【００６６】
（実施態様例３）
図３に、実施態様例３として、円形の深皿状の食事用容器３を示した。
【００６７】
食事用容器３では、リム１４は、側面壁側端部１４１が側面壁１１の食事用容器３の深さのほぼ４０％の高さに沿って、同じ高さの側面壁の半周よりも短い部分に、食物充填空間１３側に下向きに張り出しているが、張出長ｘは、側壁面に沿った側面壁側端部１４１のほぼ中央部で最大となり、側面壁側端部１４１の両端に向かって減少し、側面壁側端部１４１の両端で０となる。
【００６８】
（実施例１）
図４に、実施例１として、型を使用しない組立成形の態様例で説明した製造法で製造した円形の皿状の食事用容器４を示した。
【００６９】
食事用容器４では、リム１４は、側面壁側端部１４１が側面壁１１の食事用容器４の深さのほぼ１００％の高さに沿って、食物充填空間１３側に下向きに張り出しているが、食物充填空間１３側にほぼ同一の張出長ｘで下向きに張り出し、食物充填空間側端部の稜線１４３はほぼ円形である。
【００７０】
食事用容器４のリム１３には富士山を立体的に色彩デザイン化した識別標識１５が設けられている。
【００７１】
（実施例２）
図５に、実施例２として、型を使用しない組立成形の態様例で説明した製造法で製造した円形の皿状の食事用容器５を示した。
【００７２】
食事用容器５では、リム１４は、側面壁側端部１４１が側面壁１１の食事用容器４の深さのほぼ１００％の高さに沿って、同じ高さの側面壁のほぼ半周の部分に、食物充填空間１３側に下向きに張り出しているが、張出長ｘは、側壁面に沿った側面壁側端部１４１のほぼ中央部で最大となり、側面壁側端部１４１の両端に向かって減少し、側面壁側端部１４１の両端で０となる。
【００７３】
食事用容器４のリム１３には、側壁面に沿った側面壁側端部１４１のほぼ中央部に、富士山に色彩を付してデザイン化した識別標識１５が設けられている。
【符号の説明】
【００７４】
１      実施態様例１の食事用容器
２      実施態様例２の食事用容器
３      実施態様例３の食事用容器
４      実施例１の食事用容器
５      実施例２の食事用容器
１１    側面壁
１１１  上方側壁面
１１２  上方側面壁の上端
１１３  上方側面壁の上端の稜線
１２    底面壁
１３    食物充填空間
１４    リム
１４１  リムの側面壁側端部
１４２  リムの食物充填空間側端部
１４３  食物充填空間側端部の稜線
１４４  リムの上面
１４５  リムの下面
１４６  閉空間
１５    識別標識
Ｓｐ    プレート面
Ｓ      稜線１１３を切り取る水平面であってプレート面Ｓｐに最も近い水平面
ｘ      張出長
ｈ      食物充填空間又は食事用容器の深さ
【図１】
2018139809.tif 000003
【図２】
2018139809.tif 000004
【図３】
2018139809.tif 000005
【図４】
2018139809.tif 000006
【図５】
2018139809.tif 000007
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
食物を充填できる空間を形成する底面壁と側面壁を備える食事用容器であって、
前記底面壁の最深部から前記空間の深さの２０％以上上方の前記空間の部分を形成する側面壁（上方側面壁）の内周に沿って、かつ、前記上方側面壁上端部よりも下方に、前記上方側面壁から前記空間側に張り出したリムを備え、
前記リムは、前記側面壁に接続する側面壁側端部を有し、
前記側面壁側端部は、前記上方側面壁上端部よりも下方に位置し、
少なくとも前記上方側面壁が陶器製である食事用容器。
【請求項２】
前記リムの前記底面壁側に向く前記リムの下面と前記下面の下方の側面壁のなす角度が９０°未満である請求項１記載の食事用容器。
【請求項３】
前記空間に充填された前記食物を前記空間から掬い取るための食事用掬取具と共に使用される請求項１又は２記載の食事用容器。
【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
食物を充填できる空間を形成する底面壁と側面壁を備える食事用容器であって、
前記底面壁の最深部から前記空間の深さの２０％以上上方の前記空間の部分を形成する上方側面壁の内周に沿って、かつ、前記上方側面壁上端部よりも下方に、前記上方側面壁から前記空間側に張り出したリムを備え、
前記リムは、前記側面壁に接続する側面壁側端部を有し、
前記側面壁側端部は、前記上方側面壁上端部よりも下方に位置し、
少なくとも前記上方側面壁が陶器製である食事用容器であり、
前記リムの前記張り出し部の下面から前記リムよりも下方の前記上方側面壁にかけて閉空間が形成され、
スプーンを前記底面壁から前記側面壁に移動すると前記閉空間で前記スプーンが行き止まる食事用容器。
【請求項２】
前記リムの前記底面壁側に向く前記リムの下面と前記下面の下方の側面壁のなす角度が９０°未満である請求項１記載の食事用容器。
【請求項３】
前記空間に充填された前記食物を前記空間から掬い取るための食事用掬取具と共に使用される請求項１又は２記載の食事用容器。